(57)【要約】【課題】  宝石を安定的に保持することができると共に、その生産性にも優れた取付台座を提供する。【解決手段】  本考案に係る取付台座１０は、一つの金属製連続体として構成されていて、有底のカップ状部１２と複数の係止部１４とを備える。カップ状部１２は、複数の拡径部１８ａと複数の縮径部１８ｂとを備え、それらはカップ状部の中心軸線の周りに交互に並び、縮径部１８ｂはカップ状部１２の開口部２０に近づくに従い径方向外側に広がるように延在する。各係止部１４は対応する縮径部と一体につながり、カップ状部から突き出るように構成されている。【選択図】        図１
0003206924.tif 000002
【実用新案登録請求の範囲】
【請求項１】
一つの金属製連続体として構成された、宝石が取り付けられる取付台座であって、
前記宝石を受け入れるように形成された有底のカップ状部であって、複数の拡径部と複数の縮径部とを備え、該拡径部と該縮径部とが該カップ状部の中心軸線の周りに交互に並び、前記拡径部は前記縮径部よりも径方向外側に広がるように延在し、該縮径部は該カップ状部の開口部に近づくに従い径方向外側に広がるように延在する、カップ状部と、
複数の係止部であって、各係止部は対応する前記縮径部と一体につながり、前記カップ状部から突き出るように構成されている、複数の係止部と
を備える、
取付台座。
【請求項２】
前記取付台座は、プレス加工により一枚の金属製板材から成形された取付台座であり、全体的に略均一な肉厚を有している、
請求項１に記載の取付台座。
【請求項３】
請求項１または請求項２に記載の取付台座を備え、該取付台座に宝石が取り付けられた宝飾体であって、
前記複数の縮径部に接するように前記宝石は前記カップ状部内に収容されていて、
前記係止部は、前記カップ状部に受け入れられた前記宝石を前記カップ状部内に係止している、
宝飾体。
【考案の詳細な説明】
【技術分野】
【０００１】
本考案は、宝石が取り付けられる取付台座、および、それに宝石が取り付けられた宝飾体に関する。
【背景技術】
【０００２】
特許文献１は、カップ形状の取付台座を開示する。この取付台座は底部から立ち上がる支柱部分と、各支柱部分の上端側を互いに連結するアーチ部分とを備える。取付台座に宝石を嵌入後、アーチ部分をカシメることで、アーチ部分の内側の支持面（凹面）により宝石は包むように支持される。なお、特許文献１には、開口部を中央にそれを取り囲むアーチ部分、支柱部分の片側、および底部を一枚の花弁に見立てて、それらに一体感を生ぜしめる意匠を施してある、との記載がある。
【０００３】
また、特許文献２は、板材をプレス加工して成形した、装飾用宝石の金属製の取付台座を開示する。この取付台座は、それぞれがそれと一体となった、少なくとも２個の切り出し爪および少なくとも２個のバーリングとを有する。切り出し爪は上部方向に折り曲げられ、切り出し爪と周方向で異なる箇所に位置するバーリングは下部方向に折り曲げられる。宝石は、特許文献２の記載によればバーリングで下側より支えられるように貫通孔に入れられる。そして、貫通孔から突出する宝石のクラウン部分を上側から留めるように切り出し爪は折り曲げられて、カシメられ、これにより宝石は台座に固定される。
【先行技術文献】
【特許文献】
【０００４】
【特許文献１】実用新案登録第３０２８９１１号公報
【特許文献２】実用新案登録第３０２０７８７号公報
【考案の概要】
【考案が解決しようとする課題】
【０００５】
上記特許文献１に記載の取付台座およびそれに宝石が取り付けられた宝飾体は、花を模した形状にするために、開口部を定める支柱部分およびアーチ部分を独特の構造にする必要がある。そのため、その作製は簡単ではない。また、特許文献１の記載によれば、アーチ部分の支持面が宝石のガードル部分に沿ってそこに接触するので、取付台座に取り付けられる宝石の寸法はかなり限定される可能性がある。
【０００６】
また、上記特許文献２に記載の取付台座は、宝石のガードル部分が貫通孔に収まらず、且つ、その貫通孔から突き出た宝石の部分は切り出し爪で上側から留められるだけであるので、宝石の安定的な保持に課題を有する。更に、上記特許文献２に記載の取付台座は、上記のごとく、宝石がそのガードル部分が収まらないように貫通孔に入れられて、バーリングおよび切り出し爪で挟むように固定されるので、取付台座に取り付けられ得る宝石の寸法はかなり限定されるであろう。
【０００７】
そこで、本考案の目的は、宝石を安定的に保持することができると共に、その生産性にも優れた取付台座を提供することを目的とする。
【０００８】
また、本考案は、宝石の寸法にある程度のばらつきがあっても、その宝石をしっかりと保持することを可能にする取付台座を提供することを更なる目的とする。
【課題を解決するための手段】
【０００９】
本考案の一態様によれば、
一つの金属製連続体として構成された、宝石が取り付けられる取付台座であって、
前記宝石を受け入れるように形成された有底のカップ状部であって、複数の拡径部と複数の縮径部とを備え、該拡径部と該縮径部とが該カップ状部の中心軸線の周りに交互に並び、前記拡径部は前記縮径部よりも径方向外側に広がるように延在し、該縮径部は該カップ状部の開口部に近づくに従い径方向外側に広がるように延在する、カップ状部と、
複数の係止部であって、各係止部は対応する前記縮径部と一体につながり、前記カップ状部から突き出るように構成されている、複数の係止部と
を備える、
取付台座
が提供される。
【００１０】
好ましくは、前記取付台座は、プレス加工により一枚の金属製板材から成形された取付台座であり、全体的に略均一な肉厚を有している。
【００１１】
本考案は、更に、上記取付台座を備え、そこに宝石が取り付けられた宝飾体にも存する。この宝飾体では、前記複数の縮径部に接するように前記宝石は前記カップ状部内に収容されていて、前記係止部は、前記カップ状部に受け入れられた前記宝石を前記カップ状部内に係止しているとよい。
【考案の効果】
【００１２】
本考案の上記一態様による取付台座は、上記カップ状部およびそこから突き出る係止部を備えて一つの金属製連続体として構成されるので、その作製を容易にプレス加工などで行うことができ、その生産性に優れる。また、カップ状部内に宝石を入れ、その宝石（例えばそのガードル部分）を上記縮径部に当接させて、更にその当接箇所よりも上側の部分に対して係止部を曲げることで、宝石を取付台座にしっかりと安定的に保持することができる。更に、縮径部はカップ状部の開口部に近づくに従い径方向外側に広がるように延在して、且つ、各係止部が対応する縮径部と一体につながり、カップ状部から突き出るように構成されているので、取付台座に取り付けることができる宝石の寸法にかなりの幅をもたせることができる。
【図面の簡単な説明】
【００１３】
【図１】本考案の一実施形態に係る取付台座において宝石が非固定状態である宝飾体を示す斜視図である。
【図２】図１の宝飾体の側面図である。
【図３】図１の宝飾体の上面図である。
【図４】図１の宝石が非固定状態である宝飾体の断面図であり、（ａ）は図３のＡ−Ａ線に沿った断面図であり、（ｂ）は図３のＢ−Ｂ線に沿った断面図である。
【図５】図１の状態から係止部を折り曲げることで宝石が固定状態にある宝飾体の断面図であり、（ａ）は図３のＡ−Ａ線に相当する位置での断面図であり、（ｂ）は図３のＢ−Ｂ線に相当する位置での断面図である。
【図６】図１に示す取付台座の作成工程の簡単な説明図である。
【図７】図５の固定状態にある宝飾体を備えたネックレスの一部を示す図である。
【考案を実施するための形態】
【００１４】
本考案に係る一実施形態を以下、図面に基づいて説明する。
【００１５】
図１、図２、図３は、それぞれ、本考案の一実施形態に係る取付台座（以下、台座）１０に単に宝石Ｓを配置した状態での斜視図、側面図、上面図である。なお、宝石Ｓは、ここではダイヤモンドであるが、本考案において対象とされる宝石はそれに限定されずまた特段制限はなく、サファイア、エメラルドなどであってもよい。
【００１６】
台座１０は、一枚の金属製板材のプレス加工により成形され、一つの金属製連続体として構成されている。そして、台座１０は、中心軸線１０Ａ周りに４回回転対称に形成されている。なお、本考案に係る台座は、必ずしもその中心軸線周りの回転対称性を有することに限定されないが、その中心軸線周りにＮ回回転対称に形成されることができる。この場合、Ｎは４に限定されず、２以上の任意の整数であり得、好ましくは３以上の任意の整数である。
【００１７】
台座１０は、カップ状部１２と、複数の係止部１４とを備える。各係止部１４はカップ状部１２と一体になっている。
【００１８】
カップ状部１２は、有底であり、底部１６と、底部１６につながる側壁部１８とを備える。中心軸線１０Ａ周りに連続する側壁部１８により、開口部２０が実質的に区画形成されている。底部１６には、孔１６ａが形成されているが、設けられなくてもよい。孔１６ａは、中心軸線１０Ａ上に位置している。
【００１９】
側壁部１８は、複数の拡径部１８ａと複数の縮径部１８ｂとを備える。拡径部１８ａと縮径部１８ｂとはカップ状部１２の中心軸線１２Ａ（本実施形態では、台座の中心軸線１０Ａに一致）の周りに交互に並んでいる。拡径部１８ａは縮径部１８ｂよりも中心軸線１２Ａを中心として径方向外側に広がるように延在している。これら拡径部１８ａと縮径部１８ｂとは、それぞれ、底部１６から開口部２０に近づくに従い、径方向外側に広がるように延在する。したがって、カップ状部１２は、全体として、開口部２０から底部１６に向けてすぼまるように形成されている。
【００２０】
このようなカップ状部１２に上記複数の係止部１４の各々は一体に設けられている。係止部１４は、カップ状部１２から突き出るように構成されている。ここでは係止部１４は側壁部１８の上端部から略中心軸線１０Ａ方向に延びるように設けられている。特に、係止部１４は縮径部１８ｂに１対１で対応付けられ、縮径部１８ｂに直接連続するように設けられている。つまり、係止部１４は、縮径部１８ｂの延長部分に相当する。宝石Ｓの開口部２０を通してのカップ状部１２への挿入を妨げないように、初期段階（作製直後の段階）では、係止部１４は対応する縮径部と同じように（底部１６から離れるに従い）径方向外側に延びるように形成されているのが好ましい。
【００２１】
図１から図３より理解できるように、台座１０は、花を模したように設計されている。つまり、台座１０は全体として、特に宝石Ｓを固定したときに花を模した意匠または形状を有するように設計されている。なお、拡径部１８ａはそれぞれ花びらに対応するように形作られている。
【００２２】
図１および図２から明らかなように、本実施形態の台座１０では、開口部２０周囲の台座上端縁１０Ｅは、全体的に滑らかな湾曲形状を描くように形成されている。加えて、台座上端縁１０Ｅは、拡径部１８ａで湾曲谷部を形成し、係止部１４で突出山部を形成するように、略波状に形成されている。したがって、より一層、カップ状部１２と係止部１４との一体感が増している。なお、本考案では、カップ状部１２の縮径部１８ｂと係止部１４との境界が明確に区別可能にされてもよいが、好ましくは、それらは本実施形態の台座１０のように融合状態にされる。
【００２３】
また、上で述べたように、台座１０は、一枚の金属製板材のプレス加工により形成されているので、台座１０は全体的に略均一な肉厚を有している。したがって、カップ状部１２の各部分の肉厚は、係止部１４の各部分の肉厚と略等しい。
【００２４】
台座１０は、種々の金属材料から作製することができ、例えば、イエローゴールド、ホワイトゴールド、プラチナ、金、銀から作られるとよい。なお、台座は、銅、アルミニウム、マグネシウム、チタンなどの純金属または合金から作られることもできる。
【００２５】
上記構成を有する台座１０に、宝石Ｓが取り付けられる（固定される）。図４では、開口部２０から宝石Ｓが台座１０内に受けいれられた状態での断面図が示されている。図４（ａ）は図３の（中心軸線１０Ａを含みかつ縮径部１８ｂを２等分するように定められる）Ａ−Ａ線に沿った断面図であり、図４（ｂ）は図３の（中心軸線１０Ａを含みかつ拡径部１８ａを２等分するように定められる）Ｂ−Ｂ線に沿った断面図である。
【００２６】
カップ状部１２は、全体として、開口部２０から底部１６に向けてすぼまるように形成されているので、カップ状部１２に宝石Ｓが受けいれられたときに、その途中で宝石は側壁部１８、特に縮径部１８ｂに接して（引っ掛かって）嵌り込むことができる。図４（ａ）では、開口部２０からカップ状部１２に入れられた宝石Ｓのガードル部分Ｓ１が縮径部１８ｂに当接し、宝石Ｓが底部１６に到達していないところが示されている。図４（ｂ）に示すように、この状態で、宝石Ｓは拡径部１８ａに接していない。なお、宝石Ｓのガードル部分とは、宝石Ｓの上部と下部の境界部分であり、概して最も大きな幅を有する部分である。
【００２７】
図４の非固定状態から、宝石Ｓのガードル部分Ｓ１よりも上側（底部１６から離れた側）にある部分つまり係止部１４を宝石Ｓのクラウン部分（ガードル部分よりも上側の部分）Ｓ２に向けて折り曲げることで、図５（ａ）に示すように、係止部１４は宝石Ｓを上側から係止する。これにより、宝石Ｓは台座１０にしっかりと固定される。係止部１４の折り曲げは、手で行われてもよく、機械で行われてもよい。なお、図５（ａ）は図４（ａ）と同様に図３のＡ−Ａ線に相当する位置での断面図であり、図５（ｂ）は図３のＢ−Ｂ線に相当する位置での断面図である。
【００２８】
このように、台座１０では、カップ状部１２内にしっかりと宝石Ｓを受け入れて包み込むように宝石Ｓは保持される。加えて、そのカップ状部１２と一体となった係止部（またはその近傍）の折り曲げにより、宝石のガードル部分Ｓ１が当接する縮径部１８ｂの当接部分近くで、宝石Ｓはしっかりとその縮径部１８ｂに向けて保持される。したがって、台座１０により、宝石Ｓを安定的にしっかりと保持することができる。
【００２９】
また、縮径部１８ｂはカップ状部１２の開口部２０に近づくに従い径方向外側に広がるように延在して、且つ、各係止部１４が対応する縮径部１８ｂと一体につながって突き出るように形成されているので、台座１０に受け入れて固定することができる宝石Ｓの寸法にかなりの幅をもたせることができる。特に、本実施形態の台座１０では、カップ状部１２の縮径部１８ｂと係止部１４とは融合状態にされているので、更に、様々な大きさ、形状の宝石Ｓをそこに取り付けることが可能になる。
【００３０】
このような構成を有する台座１０は上述のごとくプレス加工により作製される。このプレス加工について図６に基づいて簡単に説明する。まず、台座１０の外形に相当する形状を有する雌型Ｐ１（図６（ａ））の上に、厚さ一定の金属板ＭＳを配置する（図６（ｂ））。なお、ここでは、金属板ＭＳの板厚は０．３ｍｍで一定であるが、これに限定されず、例えば０．１ｍｍ〜０．５ｍｍの間であり得る。そして、その状態で、雌型Ｐ１に対応した形状を有する雄型Ｐ２を相対的に押し下げ（図６（ｃ））、金属板ＭＳを打ち抜くことで、台座１０を作製する（図６（ｄ））。なお、例えば位置決め用に、雄型の先端には突起部Ｐ２ａ（凸部）があり、雌型にはそれに対応する凹部Ｐ１ａが形成されている。その雄型の雌型に対する相対移動によるプレス加工で台座１０が形成されることで、台座１０の底部１６の中央（中心軸線１０Ａ上）に孔１６ａが形成される。なお、台座１０のプレス加工の細部については、上記説明および図面から当業者には明らかであろう。よって、その更なる詳細な説明を省略する。
【００３１】
このように、台座１０は、板材に対する一度のプレス加工で製造可能である。したがって、台座１０は高い生産性を有する。しかし、台座１０は、他の方法によって作製されてもよい。例えば、雌型に地金を入れて雄型で塑性変形させることで、台座は作製されてもよい。
【００３２】
図７に、図５に示すように宝石Ｓを台座１０に固定した状態の宝飾体５１を備えたネックレス５０の要部を示す。台座１０の側壁部１８の外面にリング５２が固定され、そこにチェーン５４が取り付けられている。なお、リング５２の取り付け位置などは任意に変更可能である。また、種々のチェーンを用いることができる。
【００３３】
例えば、本考案に係る台座を備えた宝飾体は、ネックレスに限定されず、指輪、イヤリングなど、種々の装身具に適用されることができる。なお、それら台座や宝飾体は装身具以外に適用されてもよい。また、上記台座１０では、縮径部は単に底部から径方向外側に向けて延びたが、中心軸線周りに斜めに流れるように傾いてもよい。
【００３４】
以上、本考案の一実施形態およびその変形例について説明したが、本考案はそれらに限定されず、種々の変更が可能である。本願の実用新案登録請求の範囲によって定義される本考案の精神および範囲から逸脱しない限り、種々の置換、変更が可能である。
【符号の説明】
【００３５】
１０  台座
１２  カップ状部
１４  係止部
１６  底部
１８  側壁部
１８ａ  拡径部
１８ｂ  縮径部
２０  開口部
【図１】
0003206924.tif 000003
【図２】
0003206924.tif 000004
【図３】
0003206924.tif 000005
【図４】
0003206924.tif 000006
【図５】
0003206924.tif 000007
【図６】
0003206924.tif 000008
【図７】
0003206924.tif 000009